(57)【要約】【課題】ハンドガードの揺動方向の力が過大であっても電動モータと電源との接続をオン、オフする部品若しくはその他の機構の損傷を未然に防止する。【解決手段】ソーチェーンを駆動する駆動軸と、これに回転力を与える電動モータと、モータを内蔵する本体ハウジング１と、ハウジング１に設けられたハンドル２１と、ハンドル２１の近傍に配置されていて、揺動軸でハウジング１に揺動自在に支持されているハンドガード３０と、ハンドガード３０に外力が加わらない第１の状態ではモータに通電し、ハンドガード３０が揺動した第２の状態ではモータへの通電を停止するスイッチと、ハンドガード３０の揺動範囲を規制するストッパ７とを備える構成である。【選択図】図１
2014037075.tif 000002
【特許請求の範囲】
【請求項１】
ソーチェーンを駆動する駆動軸と、
前記駆動軸に回転力を与える電動モータと、
前記電動モータを内蔵する本体ハウジングと、
前記本体ハウジングに設けられたハンドルと、
前記ハンドルの近傍に配置されていて、揺動軸で前記ハウジングに揺動自在に支持されているハンドガードと、
前記ハンドガードの揺動範囲を規制するストッパとを備えることを特徴とするチェーンソー。
【請求項２】
前記ストッパは前記揺動軸から離間した前記本体ハウジングに設けられていることを特徴とする請求項１に記載のチェーンソー。
【請求項３】
前記ハンドガードに外力が加わらない第１の状態では前記電動モータへの通電を許容し、前記ハンドガードが揺動した第２の状態では前記電動モータへの通電を停止するスイッチを備えることを特徴とする請求項１又は２に記載のチェーンソー。
【請求項４】
前記ストッパは前記本体ハウジングの段部に設けられていることを特徴とする請求項１乃至３のいずれか一項に記載のチェーンソー。
【請求項５】
前記ストッパは前記本体ハウジングの一部で形成されていることを特徴とする請求項１乃至４のいずれか一項に記載のチェーンソー。
【請求項６】
前記スイッチは前記揺動軸と連動する可動部材で作動されることを特徴とする請求項１乃至５のいずれか一項に記載のチェーンソー。
【請求項７】
前記電動モータに通電する電源が前記本体ハウジングに着脱自在のバッテリであることを特徴とする請求項１乃至６のいずれか一項に記載のチェーンソー。
【発明の詳細な説明】
【技術分野】
【０００１】
本発明は、ハンドガードを有する電動式のチェーンソーに関する。
【背景技術】
【０００２】
チェーンソーには、キックバック時に備えて緊急停止機構が設けられている。代表的な機構としては、作業者が把持するサブハンドルの近傍にハンドガードを設け、キックバック時に作業者の手の甲がハンドガードに当たってハンドガードが揺動し、これに連動するブレーキでソーチェーンを駆動する駆動軸を制動するものが知られている。公知文献として下記特許文献１がある。
【先行技術文献】
【特許文献】
【０００３】
【特許文献１】特開平９−２９７０８号公報
【発明の概要】
【発明が解決しようとする課題】
【０００４】
最近の電動式のチェーンソーでは、ハンドガードがキックバックに起因して揺動した際に、電動モータとバッテリ（電池又は電池群）との接続を切断して消費電力の低減を図るとともに、ソーチェーンの停止を確実にすることが要望されている。
【０００５】
本発明はこうした状況を認識してなされたものであり、その目的は、ハンドガードが揺動した際に電動モータと電源との接続を切断する構成とした場合に、ハンドガードの揺動方向の力が過大であっても電動モータと電源との接続をオン、オフ（ＯＮ，ＯＦＦ）する部品若しくはその他の機構の損傷を未然に防止可能なチェーンソーを提供することにある。
【課題を解決するための手段】
【０００６】
本発明のある態様は、チェーンソーであり、ソーチェーンを駆動する駆動軸と、前記駆動軸に回転力を与える電動モータと、前記電動モータを内蔵する本体ハウジングと、前記本体ハウジングに設けられたハンドルと、前記ハンドルの近傍に配置されていて、揺動軸で前記ハウジングに揺動自在に支持されているハンドガードと、前記ハンドガードの揺動範囲を規制するストッパとを備えることを特徴とする。
【０００７】
前記態様において、前記ストッパは前記揺動軸から離間した前記本体ハウジングに設けられているとよい。
【０００８】
前記態様において、前記ハンドガードに外力が加わらない第１の状態では前記電動モータへの通電を許容し、前記ハンドガードが揺動した第２の状態では前記電動モータへの通電を停止するスイッチを備えるとよい。
【０００９】
前記態様において、前記ストッパは前記本体ハウジングの段部に設けられているとよい。
【００１０】
前記態様において、前記ストッパは前記本体ハウジングの一部で形成されているとよい。
【００１１】
前記態様において、前記スイッチは前記揺動軸と連動する可動部材で作動される構成であるとよい。
【００１２】
前記態様において、前記電動モータに通電する電源が前記本体ハウジングに着脱自在のバッテリであるとよい。
【００１３】
なお、以上の構成要素の任意の組合せ、本発明の表現を方法やシステムなどの間で変換したものもまた、本発明の態様として有効である。
【発明の効果】
【００１４】
本発明に係るチェーンソーによれば、キックバックに起因してハンドガードが揺動したときに、揺動範囲をストッパで規制することが可能であり、ハンドガードの揺動が過大となって電動モータと電源との接続をオン、オフする部品若しくはその他の機構が損傷する事態を未然に防止可能である。
【図面の簡単な説明】
【００１５】
【図１】本発明に係るチェーンソーの実施の形態であって、（Ａ）はハンドガードに外力が加わらない状態の右側面図、（Ｂ）はハンドガードが外力により揺動した状態の右側面図。
【図２】同じく実施の形態であって、（Ａ）はハンドガードに外力が加わらないときのスイッチ状態を示す一部を断面とした左側面図、（Ｂ）はハンドガードが外力により揺動したときのスイッチ状態を示す一部を断面とした左側面図。
【図３】実施の形態の斜視図。
【図４】実施の形態の回路図。
【発明を実施するための形態】
【００１６】
以下、図面を参照しながら本発明の好適な実施の形態を詳述する。なお、各図面に示される同一または同等の構成要素、部材、処理等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００１７】
図１乃至図４において、本体ハウジング１は右側面に突出したモータケース２を一体的に有し、モータケース２内に図４に示す電動モータＭが収納（内蔵）されている。本体ハウジング１の左側面には、モータＭで回転駆動される駆動軸１０及びこれに固着されたスプロケット１１が設けられる（図２（Ａ）において点線で示す）。チェーンソーの使用時においては、本体ハウジング１のボルトにガイドバー１２を取り付け、スプロケット１１とガイドバー１２の周囲にソーチェーン１３を巻き掛けし（図２（Ａ）において仮想線で示す）、スプロケット１１によってソーチェーン１３を走行駆動する。これらの構成は周知であるため、細部の説明は省略する。
【００１８】
本体ハウジング１の上部にはトップハンドル２０が一体に形成され、また本体ハウジング１の右側面から突出するようにフロントハンドル２１が配設されている。通常、作業者は右手でトップハンドル２０を把持し、左手でフロントハンドル２１の上部（略水平な部分）を把持する。また、作業者の手を保護するハンドガード３０がフロントハンドル２１の前側近傍に配置され、ハンドガード３０から一体に後方に延びるアーム部３１が揺動軸（回転中心Ｃ）で揺動自在に本体ハウジング１に支持されている。本体ハウジング１の後部にはバッテリガード５が延長して固定されており、バッテリガード５上の本体ハウジング１後端面にバッテリ４０が着脱自在に装着されている。
【００１９】
トップハンドル２０の下面側にはトリガ２５が取り付けられ、トリガ２５が引かれたときにオンとなるスイッチＳＷ１が本体ハウジング１内に固定配置されている。また、ハンドガード３０が外力により揺動したときにモータＭへの通電を遮断するためのスイッチＳＷ２が本体ハウジング１の内に固定配置されている。図４の回路図に示すように、バッテリ４０の＋端子、−端子及びＬＤ端子（バッテリの状態を示す信号）に接続されるターミナル４５の＋端子と−端子間に、スイッチＳＷ１、スイッチＳＷ２及びモータＭが直列に接続されている。
【００２０】
図２（Ａ）,（Ｂ）のように、ハンドガード３０と一体となって回転する揺動軸には小アーム３１が固着され、また小アーム３１とスイッチＳＷ２との間に一端部が本体ハウジング１に枢着された（回転自在に取り付けられた）揺動片３２が配置されている。小アーム３１及び揺動片３２は、揺動軸と連動する可動部材として機能するものである。揺動軸の周囲にはバネ３３が設けられており、外力が加わらない場合（ブレーキ非作動状態）を示す図１（Ａ）及び図２（Ａ）のハンドガード３０は上方位置となっている。このときスイッチＳＷ２の操作部３５は、図２（Ａ）のように小アーム３１で揺動片３２が押されて右回転方向に揺動するため、揺動片３２で押圧された状態である。つまり、スイッチＳＷ２はオン状態を維持し、モータＭに通電可能な状態としている。
【００２１】
一方、チェーンソーの使用時にキックバックが発生して作業者の左手の甲でハンドガード３０が押し下げられる事態が発生すると、図１（Ｂ）及び図２（Ｂ）（ブレーキ作動状態）のようにハンドガード３０は上端が下がる向きに揺動し、小アーム３１で揺動片３２は押されなくなり、揺動片３２は付勢力に従って左回転方向に揺動し、スイッチＳＷ２の操作部３５は突出状態（非操作状態）となってスイッチＳＷ２はオフとなる。このとき、キックバックが強力であってハンドガード３０の動きが過大となると、ハンドガード３０と連動する揺動軸周辺の機構に損傷乃至悪影響が発生するおそれがあるため、本体ハウジング１の右側面の段部１ａ上にストッパ７を設けている。ストッパ７は、揺動軸（回転中心Ｃ）から離間した位置にあり、本体ハウジング１とは別部材を段部１ａ上に固定してもよいし、本体ハウジング１の一部で一体に予め形成しておいてもよい。ストッパ７にハンドガード３０のアーム部３１が当接することで、ハンドガード３０の揺動範囲は規制される。
【００２２】
本体ハウジング１の右側面にはライト操作スイッチＳＷ３、バッテリ残量確認スイッチＳＷ４及びバッテリ残量表示部５１を備えた操作・表示パネル５０が配設されている。ライト操作スイッチＳＷ３、バッテリ残量表示スイッチＳＷ４はタクトスイッチであり、図４のコントローラ６０に接続されている。ライト操作スイッチＳＷ３がオンのとき本体ハウジング１の前面に配置されたＬＥＤライト５５が点灯するようになっている。バッテリ残量表示スイッチＳＷ４がオンのとき、バッテリ４０の状態に応じてバッテリ残量表示部５１のバッテリ残量表示ランプ５６が点灯或いは消灯する。なお、図４のバッテリ４０のＬＤ端子に接続するターミナル４５のＬＤ端子は、バッテリ４０の状態（例えば過放電）を表す信号をコントローラ６０に出力するものである。なお、コントローラ６０等を搭載した回路基板は本体ハウジング１後部のバッテリ装着面の近傍に配置される。
【００２３】
本実施の形態の全体的な動作説明を行う。図２（Ａ）のようにスプロケット１１とガイドバー１２の周囲にソーチェーン１３を巻き掛けした状態で、トリガ２５を引けば、スイッチＳＷ１がオンとなり、通常オン状態のスイッチＳＷ２を通して電動モータＭにバッテリ４０から電力が供給され、所定の切断動作が行われる。
【００２４】
チェーンソーの使用時にキックバックが発生して作業者の左手の甲でハンドガード３０が押し下げられる事態が発生すると、図１（Ｂ）及び図２（Ｂ）のようにハンドガード３０は上端が下がる向きに揺動し、小アーム３１で揺動片３２は押されなくなり、スイッチＳＷ２の操作部３５は突出状態（非操作状態）となってスイッチＳＷ２はオフとなる。この結果、トリガ２５の状態にかかわらずモータＭへの通電は遮断され、モータＭは停止する。その際、ハンドガード３０の揺動に連動して、モータＭの出力軸やスプロケット１１の駆動軸に対して従来の機械的なブレーキを適用することが可能である。
【００２５】
本実施の形態によれば、下記の効果を奏することができる。
【００２６】
(1) キックバック発生時にハンドガード３０の揺動に連動させて電動モータＭへの通電を遮断するため、機械式ブレーキのみを使用する場合に比較して消費電力の低減を図ることができる。また、機械式ブレーキを併用する場合には制動性能の改善を図ることができる。
【００２７】
(2) ストッパ７でハンドガード３０の揺動範囲を規制できるため、ハンドガード３０に過大な外力が加わっても内部機構の損傷、悪影響等は発生しない。また、ストッパ７は揺動軸と離間した位置に設けられていることから、外力に対して少ない力で可動域を制限することができ、部品の保護を図ることができる。
【００２８】
(3) 本体ハウジング１の一部にストッパ７を一体に形成する場合には、ストッパ７を安価に形成できる。
【００２９】
以上、実施の形態を例に本発明を説明したが、実施の形態の各構成要素や各処理プロセスには請求項に記載の範囲で種々の変形が可能であることは当業者に理解されるところである。以下、変形例について触れる。
【００３０】
ハンドガード３０の揺動をスイッチＳＷ２に伝達する可動部材の構成は適宜変更可能である。
【符号の説明】
【００３１】
１  本体ハウジング
２  モータケース
５  バッテリガード
７  ストッパ
１０  駆動軸
１１  スプロケット
１２  ガイドバー
１３  ソーチェーン
２０  トップハンドル
２１  フロントハンドル
２５  トリガ
３０  ハンドガード
３１  小アーム
３２  揺動片
４０  バッテリ
５０  操作・表示パネル
５５  ＬＥＤライト  
ＳＷ１〜ＳＷ４  スイッチ
【図１】
2014037075.tif 000003
【図２】
2014037075.tif 000004
【図３】
2014037075.tif 000005
【図４】
2014037075.tif 000006